(57)【特許請求の範囲】
【請求項１】
情報が１つ以上の搬送周波数で伝送されるようになっている通信システムにトレーニングシーケンス（Ｔ）を形成する方法であって、前記トレーニングシーケンス（Ｔ）が、少なくとも同期信号として使用される方法において、
前記トレーニングシーケンス（Ｔ）において、
少なくとも２つの隣接したトレーニング部分（１０３、１０４；２０９、２１０）が、実質的に同一に形成され、またさらに、少なくとも１つのトレーニング部分（１０５、１０６；２１１、２１２）が、前記同一のトレーニング部分（１０３、１０４；２０９、２１０）に対して実質的に逆として形成されるように、または、
少なくとも２つの隣接したトレーニング部分（１０３、１０４；２０９、２１０）が、実質的に同一に形成され、またさらに、少なくとも１つのトレーニング部分（１０５、１０６；２１１、２１２）が、前記同一のトレーニング部分とは実質的に異なって形成されるように、または、
少なくとも２つの隣接したトレーニング部分（１０３、１０４；２０９、２１０）が、互いに実質的に逆として形成され、またさらに、少なくとも一つのトレーニング部分（１０５、１０６；２１１、２１２）が、実質的に異なって形成されるように、
前記トレーニングシーケンスが３つ以上のトレーニング部分（１０３〜１０６；２０９〜２１２）から構成されていることを特徴とする方法。
【請求項２】
受信段では、相関関数が、前記トレーニングシーケンス（Ｔ）に基づいて定義されており、ここで、前記相関関数が、少なくとも１つの正または負のピークを有していることを特徴とする請求項１に記載の方法。
【請求項３】
前記通信システムにおいて、情報は、ＯＦＤＭシンボルとして伝送される請求項１または２に記載の方法。
【請求項４】
前記トレーニングシーケンス（Ｔ）は、各々が１つのＯＦＤＭシンボルを形成している４つのトレーニング部分（１０３、１０４、１０５、１０６）から構成されており、前記トレーニングシーケンスにおける第１トレーニング部分（１０３）と第２トレーニング部分（１０４）とは、実質的に同一であり、前記トレーニングシーケンスにおける第３トレーニング部分（１０５）と第４トレーニング部分（１０６）とは、第１トレーニング部分（１０３）と第２トレーニング部分（１０４）とに対して実質的に逆であることを特徴とする請求項３に記載の方法。
【請求項５】
前記トレーニングシーケンス（Ｔ）は、有効部分（２０４）が少なくとも３つの、好ましくは４つのトレーニング部分（２０９〜２１２）から構成されるようにＯＦＤＭシンボルの１つの前記有効部分（２０４）から構成されていることを特徴とする請求項３に記載の方法。
【請求項６】
１つまたはいくつかの搬送周波数で１つまたはいくつかのデータフレームにおける情報を伝送する送信機（ＴＸ）であって、該送信機（ＴＸ）が、少なくとも１つのトレーニングシーケンス（Ｔ）を形成しかつそれを伝送されるデータフレーム（１０１、２０１）に接続する手段を備え、前記トレーニングシーケンス（Ｔ）が、受信機を同期させるようにしている送信機において、
少なくとも２つの隣接したトレーニング部分（１０３、１０４；２０９、２１０）が、実質的に同一に形成され、またさらに、少なくとも１つのトレーニング部分（１０５、１０６；２１１、２１２）が、前記同一のトレーニング部分（１０３、１０４；２０９、２１０）に対して実質的に逆として形成されるように、または、
少なくとも２つの隣接したトレーニング部分（１０３、１０４；２０９、２１０）が、実質的に同一に形成され、またさらに、少なくとも１つのトレーニング部分（１０５、１０６；２１１、２１２）が、前記同一のトレーニング部分とは実質的に異なって形成されるように、または、
少なくとも２つの隣接したトレーニング部分（１０３、１０４；２０９、２１０）が、互いに実質的に逆として形成され、またさらに、少なくとも１つのトレーニング部分（１０５、１０６；２１１、２１２）が、実質的に異なって形成されるように、
前記送信機（ＴＸ）は、３つ以上のトレーニング部分（１０３〜１０６；２０９〜２１２）からトレーニングシーケンス（Ｔ）を形成する手段（３０１、６０５）を備えることを特徴とする送信機。
【請求項７】
伝送段に少なくとも１つのトレーニングシーケンス（Ｔ）を備え、受信された信号に受信機を同期させる手段を備える受信機（ＲＸ）において、前記受信機を同期させる手段が、
受信された前記トレーニングシーケンス（Ｔ）に基づいて相関関数を形成する手段（４０１、４０２、４０４、４０５）と、
前記相関関数において少なくとも１つの最大点または最小点又を発見する手段（４０６、４０８）と、
少なくとも１つの発見された最大点または最小点に基づいてタイミングモーメントと位相エラーとを確定する手段（４０９、４１０、４１１）とを備え、
前記トレーニングシーケンス（Ｔ）は、
少なくとも２つの隣接したトレーニング部分（１０３、１０４；２０９、２１０）が、実質的に同一に形成され、またさらに、少なくとも１つのトレーニング部分（１０５、１０６；２１１、２１２）が、前記同一のトレーニング部分（１０３、１０４；２０９、２１０）に対して実質的に逆として形成されるように、または
少なくとも２つの隣接したトレーニング部分（１０３、１０４；２０９、２１０）が、実質的に同一に形成され、またさらに、少なくとも１つのトレーニング部分（１０５、１０６；２１１、２１２）が、前記同一のトレーニング部分とは実質的に異なって形成されるように、または
少なくとも２つの隣接したトレーニング部分（１０３、１０４；２０９、２１０）が、互いに実質的に逆として形成され、またさらに、少なくとも１つのトレーニング部分（１０５、１０６；２１１、２１２）が、実質的に異なって形成されるように、
３つ以上のトレーニング部分（１０３〜１０６；２０９〜２１２）から形成されることを特徴とする受信機。
【請求項８】
１つまたはいくつかのデータフレームにおいて通信チャンネル（ＣＨ）に情報を伝送する送信機（ＴＸ）と、少なくとも１つのトレーニングシーケンス（Ｔ）を形成して、それを伝送されるデータフレーム（１０１、２０１）に接続する手段と、
前記通信チャンネル（ＣＨ）から伝送情報を受信する受信機（ＲＸ）と、
該受信機（ＲＸ）を同期させる手段と、を備える通信システムにおいて、
少なくとも２つの隣接したトレーニング部分（１０３、１０４；２０９、２１０）が、実質的に同一に形成され、またさらに、少なくとも１つのトレーニング部分（１０５、１０６；２１１、２１２）が、前記同一のトレーニング部分（１０３、１０４；２０９、２１０）に対して実質的に逆として形成されるように、または
少なくとも２つの隣接したトレーニング部分（１０３、１０４；２０９、２１０）が、実質的に同一に形成され、またさらに、少なくとも１つのトレーニング部分（１０５、１０６；２１１、２１２）が、前記同一のトレーニング部分とは実質的に異なって形成されるように、または
少なくとも２つの隣接したトレーニング部分（１０３、１０４；２０９、２１０）が、互いに実質的に逆として形成され、またさらに、少なくとも１つのトレーニング部分（１０５、１０６；２１１、２１２）が、実質的に異なって形成されるように、
前記通信システムは、３つ以上のトレーニング部分（１０３〜１０６；２０９〜２１２）からトレーニングシーケンス（Ｔ）を形成する手段（３０１、６０５）をさらに備えることを特徴とする通信システム。
【請求項９】
受信機を同期させる手段が、
受信された前記トレーニングシーケンス（Ｔ）に基づいて相関関数を形成する手段（４０１、４０２、４０４、４０５）と、
前記相関関数において少なくとも１つの最大点または最小点を発見する手段（４０６、４０８）と、
少なくとも１つの発見された最大点または最小点に基づいてタイミングモーメントと位相エラーとを確定する手段（４０９、４１０、４１１）と、を備えることを特徴とする請求項８に記載の通信システム。
【請求項１０】
それが、ＯＦＤＭシンボルとして情報を伝送する手段（６０３、６０４；６１３）を備えることを特徴とする請求項８または９に記載の通信システム。
【請求項１１】
それが、無線ローカルエリアネットワーク（ＷＬＡＮ）を備えることを特徴とする請求項８〜１０のいずれか一項に記載の通信システム。
【請求項１２】
最大点および最小点を発見する手段（４０６、４０８）が、前記相関関数のサンプルからエネルギー値を確定する手段を備え、そこで、前記最大点および最小点は、前記確定されたエネルギー値から選択されるように配列されていることを特徴とする請求項８〜１１のいずれか一項に記載の通信システム。
【発明の詳細な説明】
【０００１】
この発明は、情報が１つまたはいくつかの搬送周波数で伝送される通信システムにおいて通信中にトレーニングシーケンスを形成する方法であって、そのトレーニングシーケンスが、少なくとも同期信号として使用されている方法に関する。本発明は、さらに、１つまたはいくつかの搬送周波数で１つまたはいくつかのデータフレームにおける情報を伝送する送信機であって、該送信機が、少なくとも１つのトレーニングシーケンスを形成しかつそれを伝送されるデータフレームに取り付ける手段を備え、またトレーニングシーケンスが、受信機を同期させるようにしているものに関する。さらに、本発明は、伝送段に少なくとも１つのトレーニングシーケンスを備え、受信された信号に受信機を同期させる手段を備える受信機の他に、１つまたはいくつかのデータフレームにおいて通信チャンネルに情報を伝送する送信機、少なくとも１つのトレーニングシーケンスを形成して、それを伝送されるデータフレームに接続する手段、通信チャンネルから伝送情報を受信する受信機、および受信機を同期させる手段を備える通信システムに関する。
【０００２】
送信機から受信機への無線チャンネルを介した伝送は、いくつかの干渉要因の影響を受ける。例えば、天候の変化は、いわゆるフェージングを起こし、そこでは、受信端において、信号強度が変わって、情報の正しい受信を妨げることになろう。他の干渉要因として、電気装置によって惹起されるチャンネルノイズとイグニッション干渉とが含まれる。特に、市街地域では、データ伝送の信頼性に悪影響を与える一つの重要な干渉要因は、信号がいくつかの異なったルートを介して受信機に入りかつこれらの異なった信号がたどる経路の長さが異なっているという事実によってひき起されるマルチパス伝搬である。その結果、異なった信号が、異なった位相で受信機に入り、それによって情報の正しい伝送を乱すことになる。状況は常時変化しているので、送信機または受信機が移動している時には状況はことさら複雑化されることになり、そこでは、受信機の同期は困難である。
【０００３】
これら上記の干渉要因の作用を低減する一つの方法は、平行して情報を伝送することである。かくして、伝送される情報のビットは、グループに分割され、また各グループは、異なった波長の副搬送波で復調される。受信端で、異なった搬送周波数のこれら信号が受信されて、復調され、また伝送された元の情報に対応するビット列に引き続き接続される。そのような方法では、各グループのビット率を低減しかつ依然として、同じ最終のビット率を得ることが可能である。例えば、８つの副搬送波が使用されている状況では、各グループのビット率は、８分の１に低減される。かくして、特に短期間の干渉は、情報が直列モードで伝送されるような、すなわち１つの搬送波によって変調されるような状況の場合よりも、実質的にわずかしか情報伝送に影響しない。情報のそのような直列伝送に使用される一つの方法には、いわゆる、ＯＦＤＭ変調技術、すなわち、直交周波数分割多重がある。以下の説明では、この技術は、略語ＯＦＤＭとして言及されることになる。
【０００４】
伝送される情報には、音響信号、ビデオ信号、データファイル、テキストメッセージ等を含むような、いろんな情報が含まれる。しかし、アナログ形の情報は、変調前にアナログ／ディジタル変換器によってバイナリ形式に変換される。バイナリ情報は、好ましくは、一定サイズのブロックに分割される。これらのブロックの各々は、符号化され、１つのデータフレームとして伝送される。通常、そのようなブロックは、さらにより小さなグループに分割され、各グループは、一般に２〜５ビットから構成されている。これらのグループの各々は、１つの副搬送周波数で変調される。変調では、副搬送周波数の振幅および位相は、グループにおけるビット値に基づいて決定される値に設定される。かくして、グループがｍビットから構成されている状況では、変調は、位相および振幅に対して２m の異なった選択肢を結果的に生むことになる。この説明では、これらの選択肢は、配列と呼ばれている。例えば、直角振幅変調（ＱＡＭ）では、変調グループのサイズは、例えば、４−ＱＡＭ、１６−ＱＡＭまたは６４−ＱＡＭ等の２m  −ＱＡＭの形で与えられる。さらに他の変調技法も、この発明との関連で使用され得ることは明らかである。
【０００５】
受信機では、どのシンボルが各グループで伝送されたかを見出すために、各副搬送周波数が復調される。このことは、信号の位相および振幅を各副搬送周波数で受信された信号から検定することで実施され、どの信号が、受信された信号点に最も近いのかを決定する。この信号点が、おそらく、どのシンボルが伝送されたのかを確定する。引き続き、元のグループは、異なった副搬送周波数で受信されかつ変調されたグループを組み合わせることで再構築される。
【０００６】
情報が、伝送された信号の位相と振幅とのいずれかに、またはその両方に応じて符号化されたかどうかに無関係に、受信機を受信された信号に同期させる必要がある。一般に、多くのシステムでは、受信機は伝送の正確なモーメントを分かっていないので、各ブロックは、独立して同期化されなければならない。従って、伝送される各ブロックは、受信機が、受信された信号に自ら同期しかつ伝送された情報を見出そうとする際に基にする同期データを有していなければならない。位相および周波数のエラーを無くするために、送信機の変調周波数は、正確に一定に保たれるべきであり、また対応して、受信機における復調周波数は、正しい周波数であるべきであり、かつ周波数は、できるだけ一定であるべきで、そのことは、高品質の要素および比較的複雑な回路の使用を必要とする。公知の同期方法は、一般的に同一となっているトレーニング要素の使用に、しばしば基づいている。同期化においては、係数が受信された信号のトレーニング部分に適合化された最適な適合フィルタ（ＭＦ）を使用することが知られている。係数は、通常固定されており、またそれらは、受信機には分かっていなければならない。そのような適合フィルタの設計は、複雑な計算を必要とし、さらには、各ＯＦＤＭシンボルは、マルチパス伝搬の作用を無くするためにガードタイムを伝送段に設けなければならない。適合フィルタの場合、マルチパス伝搬は、フィルタ係数に考慮されていない。もし、ガードタイムが、ＯＦＤＭシンボルに加えられていなければ、適合フィルタの出力は、異なった遅延時間に受信機に入って来る信号によって形成される余分なピークを含むことになる。もう一つ別の公知の解決策は、より簡単なシンクロナイザを使用することであり、その場合、後続の同じトレーニング部分が互いに相関され、そこでは、チャンネルのマルチパス伝搬は、同様に相関されるシンボルの両方に影響を及ぼす。受信機は、トレーニング部分を知る必要はない。
【０００７】
より簡単な受信機のシンクロナイザでは、トレーニング部分の相関が決定されて、結果的にトレーニング部分が同一の場合にステップ関数を発生させることになる。しかし、特に受信される信号の出力レベルを変えることで、正しいタイミングおよび周波数を演繹することは非常に難しい。タイミングエラーおよび周波数エラーは、異なった不完全な条件や、発振器や、通信チャンネル等によって惹起される。もし、タイミングエラーや周波数エラーが受信機で修正されなければ、ビットエラーが生じる。タイミングエラーの場合、間違った場所でフーリエ変換が行われる。周波数エラーは、信号点（配列点）の回転を招くことになる。送信機と受信機とは、ビットエラーを無くすために、互いに同期化される。
【０００８】
いくつかの同期化方法が知られているが、しかし、それらの大部分は、受信された信号と、一つまたはいくつかの同一の／トレーニングの部分からなる公知のトレーニングシーケンスとの間の相関に基づいているか、またはガードタイムと、対応したＯＦＤＭシンボルとの間の相関に基づいている。さらに、ＯＦＤＭ副搬送周波数のいくつかが同期化のみに使用される（いわゆるパイロット搬送波）同期化方法がある。
【０００９】
本発明の目的は、伝送された信号による受信機の同期化が、従来技術のトレーニング部分の使用に対して改善されるような方式でトレーニング部分を形成する方法を提供するものである。本発明は、２つの連続する受信されるトレーニングシーケンスの相関が結果的に少なくとも１つのピークを、好ましくは交番する正および負のピークを発生させることになるように、トレーニングシーケンスが形成されるという考えに基づいている。このことは、好ましくは、トレーニングシーケンスにおける少なくとも２つの連続するトレーニング部分が同一となりかつ少なくとも１つのトレーニング部分がこれらの逆となるように達成されている。本発明に係る方法は、トレーニングシーケンスにおいて、
少なくとも２つの隣接したトレーニング部分が、実質的に同一に形成され、またさらに、少なくとも１つのトレーニング部分が、上記同一のトレーニング部分に対して実質的に逆（negation）として形成されるように、または、
少なくとも２つの隣接したトレーニング部分が、実質的に同一に形成され、またさらに、少なくとも１つのトレーニング部分が、上記同一のトレーニング部分とは実質的に異なって形成されるように、または、
少なくとも２つの隣接したトレーニング部分が、互いに実質的に逆として形成され、またさらに、少なくとも一つのトレーニング部分が、実質的に異なって形成されるように、
トレーニングシーケンスが３つ以上のトレーニングシーケンスから構成されていることを特徴としている。
【００１０】
本発明に係る送信機は、送信機が、
少なくとも２つの隣接したトレーニング部分が、実質的に同一に形成され、またさらに、少なくとも１つのトレーニング部分が、上記同一のトレーニング部分に対して実質的に逆として形成されるように、または、
少なくとも２つの隣接したトレーニング部分が、実質的に同一に形成され、またさらに、少なくとも１つのトレーニング部分が、上記同一のトレーニング部分とは実質的に異なって形成されるように、または、
少なくとも２つの隣接したトレーニング部分が、互いに実質的に逆として形成され、またさらに、少なくとも１つのトレーニング部分が、実質的に異なって形成されるように、
３つ以上のトレーニング部分からトレーニングシーケンスを形成する手段を備えることを特徴としている。
【００１１】
本発明に係る受信機は、受信機を同期させる手段が、
受信されたトレーニングシーケンスに基づいて相関関数を形成する手段と、
相関関数において少なくとも１つの最大点または最小点を発見する手段と、
少なくとも１つの発見された最大点または最小点に基づいてタイミングモーメントと位相エラーとを確定する手段とを備えることを特徴としている。
【００１２】
さらに、本発明に係る通信システムは、通信システムが、さらに
少なくとも２つの隣接したトレーニング部分が、実質的に同一に形成され、またさらに、なくとも１つのトレーニング部分が、上記同一のトレーニング部分に対して実質的に逆として形成されるように、または、
少なくとも２つの隣接したトレーニング部分が、実質的に同一に形成され、またさらに、少なくとも１つのトレーニング部分が、上記同一のトレーニング部分とは実質的に異なって形成されるように、または、
少なくとも２つの隣接したトレーニング部分が、互いに対して実質的に逆として形成され、またさらに、少なくとも一つのトレーニング部分が、実質的に異なって形成されるように、
３つ以上のトレーニングシーケンスからトレーニングシーケンスを形成する手段を備えることを特徴としている。
【００１３】
本発明は、従来技術の解決策に顕著な長所を与える。受信された信号から、例えば正の最大値と負の最大値とが、好ましくは相関関数で交番するという理由で正しいタイミングと搬送周波数エラーとを確定することは容易である。本発明に係る通信システムでは、受信機はより良く同期化され、またタイミングエラーおよび周波数エラーが、従来技術の通信システムにおける場合よりもより正確に修正される。さらに、本発明に係る方法は、従来技術の解決策よりもマルチパス伝搬に対して敏感でもない。
【００１４】
次に、添付図面を参照にしてより詳細に本発明を説明する。
【００１５】
図１は、本発明の第１の有利な実施例に係るトレーニングシーケンスＴを含んだデータフレーム１０１の始めの一部分を縮小状態で示している。ここでは、トレーニングシーケンスＴは、データフレームにおいて１つのまたはいくつかの部分から形成された情報シーケンスを言っている。トレーニングシーケンスＴは、伝送される実際の情報の前において、データフレーム１０１（物理的データユニット、ＰＤＵ）の始めに設置されており、ここで受信機では、トレーニングシーケンスＴは、特に、タイミングシフトと周波数シフトとを決定するために使用されると共に、通信チャンネルの特徴について評価するために使用される。結果的に、データフレームは、ＯＦＤＭシンボルから構成されており、それらの幾分かは、トレーニング部分を伝送するために使用されると共に幾分かは、情報を伝送するために使用される。データフレームにおける第１ヘッダ１０２（自動利得制御、ＡＧＣ）は、それ自体公知である受信された信号の強度に従って受信機の増幅を調節するように意図されている。図１のデータフレーム１０１は、Ｎサンプルの長さを有したシンボルから構成されている。この実施例では、通信システムシーケンスＴの長さは、４つのトレーニング部分となっており、各々が一つのＯＦＤＭシンボルを形成している。これらのトレーニング部分は、参照番号１０３，１０４，１０５，１０６で示されている。受信機では、２つの引き続いたトレーニング部分間の相関は、トレーニングシーケンスの全長に基づいて決定される。結果的に、この例では、３つの相関が確定されている。すなわち、各々、第１トレーニング部分１０３と第２トレーニング部分１０４との間と、第２トレーニング部分１０４と第３トレーニング部分１０５との間と、第３トレーニング部分１０５と第４トレーニング部分１０６との間で確定されている。これらのトレーニング部分は、好ましくは、引き続いた相関が結果的に正の最大（ピーク）と負の最大（ピーク）とを交互に発生させることになるように形成されている。これは、第１トレーニング部分１０３と第２トレーニング部分１０４とが実質的に同一で、かつ第３トレーニング部分１０５と第４トレーニング部分１０６とが好ましくは第１トレーニング部分１０３と第２トレーニング部分１０４に対して実質的に逆になるように獲得される。換言すれば、第１トレーニング部分１０３と第２トレーニング部分１０４とは互いに良く相関しており、第３トレーニング部分１０５は、第２トレーニング部分１０４とは良く、しかし逆に相関し、また第３トレーニング部分１０５は、第４トレーニング部分１０６と良く相関している。しかし、本発明は、さらに、引き続いたトレーニング部分の相関は、結果的にピーク（正または負）か、または０に近似した値を発生するかのいずれかに成るようにも適用される。このことは、例えば、第１トレーニング部分１０３と第２トレーニング部分１０４とが互いに実質的に同一か、または逆になるように、また第３トレーニング部分１０５および、おそらくさらに第４トレーニング部分１０６は、実質的に第１トレーニング部分１０３と第２トレーニング部分１０４とから異なっているが、しかし、それらに対しては逆ではないようにして得られる。結果的に、第１トレーニング部分１０３と第２トレーニング部分１０４とは、互いに良く相関するが、しかし、第３トレーニング部分１０５は、第２トレーニング部分１０４とは不完全に相関する。さらに、たとえ、連続したトレーニング部分が、互いに完全に同一でなかったり、または同一性の否定であったとしても、相関結果におけるピークは、依然として発見されるが、しかし評価精度は必ずしもそれ程良くはないということを言及するべきである。
【００１６】
相関の結果は、図１において線１０７によって示されており、またそれは、ピークの絶対値が１以下となるように正規化されている。従来技術のシステムでは、全てのトレーニング部分が同一となるように選択されており、それで、相関の決定に際して、ステップ関数を発生して、それに基づいて正しいタイミングモーメントを推定するのは困難である。受信された信号の強度における変動は、最大点の発見をより困難にする。
【００１７】
トレーニングシーケンスを実行する上での１つの可能性は、それが３つのトレーニング部分を備えており、それらの内の２つが、互いに実質的に同一であって、１つがこれらの実質的に逆になっているということである。かくして、その相関は、１つの正のピークと１つの負のピークとを与えることになろう。
【００１８】
図２は、減縮された状態でＯＦＤＭシンボルの構造を示したもう一つ別のデータフレーム２０１の一部分を示している。ＯＦＤＭシンボル２０８は、傾斜上昇時間２０２と、ガードタイム２０３と、有効部分２０４と、傾斜下降時間２０５とから構成されている。ガードタイム２０３の長さは、別の用途で変化可能であって、０にもなり得る。傾斜上昇時間２０２とガードタイム２０３とは、有効部分２０４の終わりから傾斜上昇時間２０２およびガードタイム２０３の長さを有した部分をこの場所に複写することで形成される。この動作は、図２で矢印２０６によって示されている。それに対応して、傾斜下降時間２０５は、有効部分２０４の始めを複写することから形成される（その図において矢印２０７によって示されている）。
【００１９】
実際の情報（ペイロード）は、トレーニングシーケンスの後のデータフレーム１０１、２０１において伝送される。結果的に、トレーニングシーケンスＴは、データ伝送容量の幾分かを、上述された例では４つのシンボルを取り上げている。トレーニングシーケンスＴをより短くすることで、実際のデータ伝送容量におけるその影響を軽減することができる。しかし、この場合、同期化の精度は、より長いトレーニングシーケンスを使用している時程は必ずしも良くはない。長さがＯＦＤＭシンボルの有効部分に相当しているトレーニングシーケンスＴは、例えば、それが２つの実質的に同一のトレーニング部分と、これらに実質的に逆な２つの部分とから構成されるように形成される。これは、図２にデータフレーム２０１のＯＦＤＭシンボル２０８によって図示されており、そこでは、傾斜上昇時間２０２およびガードタイム２０３の後に、本発明の第２の有利な実施例に係るトレーニングシーケンスＴを構成する有効部分２０４が存在している。これは、２つの同一のトレーニング部分２０９、２１０（ｔｒ）と、第１部分ｔｒに対して逆になっている２つの同一のトレーニング部分２１１、２１２（−ｔｒ）とから構成されている。この場合、トレーニング部分の長さは、Ｎサンプルであり、また相関は、トレーニングシーケンスＴの全長に対して２つのトレーニング部分間で確定される。図２のデータフレームは、さらに、ＡＧＣシンボル２１３の一部分と第１のデータシンボル２１４も示している。
【００２０】
図３は、例えば図２のトレーニングシーケンスを形成するために使用される本発明の第２の有利な実施例に係るＯＦＤＭ変調器３０１を示している縮小されたブロック図である。Ｐ点の逆フーリエ変換（Ｐ−ＩＦＦＴ）が使用されていると想定される。さらに、Ｐ／Ｎは、整数でなければならない。トレーニングシーケンスを形成するのに使用されるトレーニング部分ｔｒは、入力ラインＴＲ＿ＩＮに搬送される。入力ラインＴＲ＿ＩＮを介して、トレーニング部分ｔｒは、Ｐ／Ｎ−１回だけ０がトレーニング部分のサンプル間に充填される充填ブロック３０２に搬送され（０付加）、そこでＰサンプルのデータ列が得られる。図２の例では、３つの０が、サンプル間に加えられる。充填ブロック３０２からは、データ列が逆高速フーリエ変換を実施するＩＦＦＴブロック３０３に搬送される。このＩＦＦＴブロック３０３は、有利なことには、Ｐ点の逆フーリエ変換を行う（Ｐは２のべき数である）。かくして、同じＩＦＦＴブロック３０３が、トレーニングシーケンスＴの形成と、伝送される実際の情報からのＯＦＤＭシンボルの形成の両方のために使用される。結果的に、ＩＦＦＴブロックは、乗算器ブロック３０４に導かれる時間域信号を与える。乗算器ブロック３０４では、２×Ｎの長さを有した信号の２つに１つのブロックに−１が掛けられ、結果的に、本発明の第２の有利な実施例に係るトレーニングシーケンスＴから構成された有効部分２０４となる。この後、ガードタイムブロック３０５は、長さがその時間に使用される用途に左右されるガードタイム２０３を有効部分２０４の始めに与える。ガードタイムの加算後に、ＯＦＤＭシンボル２０８は、もし必要ならば、依然として、例えば高められたコサインパルスを使用して重み付けされる。これは、図３に重み付けブロック３０６で図示されている。ＯＦＤＭ変調器３０１の出力ＯＦＤＭ−ＯＵＴは、伝送されるＯＦＤＭ信号でトレーニングシーケンスＴとして使用されるＯＦＤＭシンボルを通信チャンネルに与える。このトレーニングシーケンスの後にＯＦＤＭ信号には伝送されるデータが装備されて、それ自体は公知であるＯＦＤＭ変調がなされる。
【００２１】
トレーニングシーケンスの相関の特性は、トレーニングシーケンスを形成するために使用されるトレーニング部分ｔｒの長さを伸ばすことで改善される。しかし、これは、１つのＯＦＤＭシンボルで伝送されるトレーニング部分の数を減らすことになり、そこで、トレーニングシーケンスＴの長さは、できれば伸ばされなければならない。図１の例では、１つのトレーニング部分ｔｒは、１つのＯＦＤＭシンボルをカバーしている。トレーニング部分は、さらに、いくつかのＯＦＤＭシンボルの長さも有することができる。相関特性を改善するもう１つ別の選択肢は、有効部分２０４の長さを伸ばすと共に、トレーニング部分ｔｒの数を一定に保つことである。このようにして、フーリエ変換の長さも伸ばされなければならない。
【００２２】
トレーニング部分相関特性は、自己相関と相互相関とを決定することで評価される。理想的な相関特性は、自己相関が１で、いずれかの他のシーケンスとの相互相関が０となっているようなトレーニング部分に存在している。実際の適用では、そのようなトレーニング部分を発生することは不可能であるが、しかし、実施される各適用に対して、上述された基準を見て十分に良好な相関特性を有したトレーニング部分を設計することは通常可能である。
【００２３】
本発明に係る同期化方法は、有利なことには、最大の見込みＭＬシンクロナイザで適用され、一適用例は、添付された図４にブロックチャートとして示されている。推定される最大の確率は、トレーニング部分が第Ｎ番目のサンプル毎に繰り返し起きることが知られているので、受信されるＯＦＤＭ信号から決定される。信号と遅延された信号との間の相関が決定されると、その結果は、もし信号と遅延された信号とが実質的に同一であれば、取り外し可能な正のピークを有した相関関数となる。もし、信号と遅延された信号とが互いに実質的に逆であれば、負の最大値が相関関数のために得られる。
【００２４】
シンクロナイザＭＬは次のように動作する。受信されたＯＦＤＭ信号は、シンクロナイザＭＬおける入力ラインＭＬ−ＩＮへ導かれ、そこから、ＯＦＤＭ信号は、さらに、遅延ブロック４０１と乗算器４０２としきい値設定ブロック４０３とに転送される。遅延ブロック４０１では、ＯＦＤＭ信号はＮのサンプル用に遅延される。ただし、Ｎは１つのトレーニング部分の長さである。遅延されたＯＦＤＭ信号からは、複素共役がブロック４０４で決定され、またこれは、乗算器４０２に転送される。乗算器４０２では、ＯＦＤＭ信号と、遅延されたＯＦＤＭ信号の複素結合とは互いに掛け算され、またＮの連続する乗算結果は、合計ブロック４０５で合算される。その結果は、相関関数であり、それから、次の段で、最大点と最小点とが発見されると共に、位相角が決定される。最大点と最小点とを決定するために、合算結果のしきい値は、先ずブロック４０６で得られ、また比較ブロック４０７では、その絶対値は、設定されたしきい値Ｔｈと比較される（図５ａ）。しきい値設定ブロック４０３では、受信された信号の強度が推定される。しきい値Ｔｈは、有利なことには、推定された強度に基づいて設定され、かくして、受信された信号における強度の変動に適応できる。もし、信号の強度における変動が十分に小さければ、しきい値Ｔｈも固定される。
【００２５】
もし、合算結果の絶対値が設定しきい値よりもより大きければ、いわゆるエネルギー推定窓における最大エネルギーは、ブロック４０８における到来信号に渡って窓を転送することで決定される。エネルギー決定を行う理由は、マルチパス伝搬が可能な通信チャンネルにおいて、相関関数の値に従って決定される場合よりも相関関数におけるエネルギーピークに従って決定される場合の方がより正確な評価が、得られるということである。エネルギー最大点が検出されると、エネルギー決定窓で決定される値の内の最大値についての論拠は、ブロック４０９で選択され、正しいタイミングに対する推定値を発生する。第１の最大値点が発見されると、ＯＦＤＭシンボルの長さと、かくしてさらにトレーニング部分も知られるので、他の最大値点と最小値点とが容易に発見される。
【００２６】
位相エラーを確定するために、相関関数の位相角が位相角設定ブロック４１０で確定される。その確定は、図４のシンクロナイザＭＬにおけるように、連続したベースで行われ、そこで、切り換え機能４１３が、位相角の値を位相エラー評価ブロック４１１に転送することで最大値点と最小値点とで制御ライン４１２によって制御される。その位相エラー評価ブロック４１１では、位相エラー推定値が決定され、また平均値がその決定された位相エラー推定値から得られ、有利には、ラジアンに変換される。実際の適用では、制御ライン４１２と切り換え機能４１３とは、いずれの当業者にも知られているように、例えばハードウェアレベルで、または応用ソフトウェアで実施される。
【００２７】
位相エラーに基づいて、周波数エラーは、有利には、確定された位相エラー推定値を検定されるサンプル数によって分割することで確定される。この位相エラー値は、受信機周波数エラーを修正するために使用される。２つのトレーニング部分を使用することで、正しいタイミングモーメントと周波数エラーとを発見することは、既に可能である。しかし、より良い最終結果は、いくつかのトレーニング部分を使用することで得られる。結果的に、位相エラー推定値が各相関ピークで評価されると共に推定値が平均化される本発明で説明している方法を使用することで、より良い最終結果が得られる。
【００２８】
もし、ただ１つのピークがタイミング推定値の確定で使用されれば、これらの点での相関特定が最初のまたは最後のピークでの場合よりもより良くなっているので、最も正確な結果が、中央のピークまたは中央ピークのいずれか（最大値／最小値）を使用して得られる。さらに、タイミングの推定値は、本発明の説明で上述されているように、先ず全ての相関ピークを見出し、次に得られた推定値を平均することでも確定される。
【００２９】
切り換え機能４１３は、位相角設定ブロック４１０の前にも配置され得ることは、明白であり、そこでは、位相角はピークで確定されるだけである。
【００３０】
図６は、本発明が有利に適用される通信システムを図解している縮小されたブロック図である。通信システムは、送信機ＴＸと通信チャンネルＣＨと受信機ＲＸとを備える。ブロック６０１〜６０７は、送信機のベース帯域要素を構成している。伝送されるビットは、チャンネルおよびエラーの相関符号器６０１で符号化される。この後、符号化されたビットは、ＩＦＦＴブロック６０３において逆フーリエ変換にかけられる副搬送波シンボルとしてブロック６０２に表示される。次の段では、ガードタイム提供ブロック６０４で、各ＯＦＤＭシンボルはガードタイムが与えられ、もし必要ならば、伝送のスペクトル特性に窓をつけることで改造される。トレーニングシーケンスＴは、発生ブロック６０５において、例えばトレーニング部分に対して逆フーリエ変換を形成し、もし必要ならば、この説明で上述されているようにガードタイムを付加することで形成される。形成されたトレーニングシーケンスＴは、マルチプレクサブロック６０６においてデータフレームの始めに付加される。さらに、Ｄ／Ａ変換器６０７では、信号はアナログ信号に変換され、そのアナログ信号は、送信機の高周波数ブロック６０８へ搬送され、そのブロック６０８では、その信号は、搬送周波数への変調やフィルタリングや増幅をそれ自体公知のように受ける。この後、信号は、例えば、ラジオチャンネル等の無線通信チャンネルとなっている通信チャンネル６０９へ伝送される。
【００３１】
送信機ＴＸのベース帯域要素の実行において、トレーニングシーケンスＴと情報シンボルとを形成するために部分的に分担されるブロックを使用することも可能である。例えば、ＩＦＦＴブロック６０３とガードタイム提供ブロック６０４とが、分担される。
【００３２】
受信器ＲＸでは、受信された高周波数信号は、信号が、例えばフィルタリングされ、増幅され、ベース帯域周波数へ変調される受信機の高周波数ブロック６１０へ転送される。ベース帯域周波数へ変調された信号は、Ａ／Ｄ変換器６１１においてディジタル形に変換される。ディジタル形に変換された信号は、同期化ブロック６１２へ転送されるが、一例は図４に示され、その動作は、この明細書で上述されている。同期化ブロック６１２では、フーリエ変換の正しいモーメントが確定されると共に、有り得る位相および周波数のエラーは、評価されかつ修正される。フーリエ変換は、信号を時間レベルから周波数レベルへ変換するために、ＦＦＴブロック６１３で行われる。この後に、通信チャンネルによって惹起されるエラーは、等化器６１４で修正され、また情報は、復号器６１５でビットに戻し変換される。
【００３３】
図６の通信システムの受信機ＲＸでは、受信機のＡＧＣ増幅器を同調する目的のためにＡＧＣブロック６１６も存在している。
図６の通信システムでは、ただ最も必須な機能ブロックが、本発明の説明に関連して与えられているが、しかし、例えば、それ自体公知である送信機ＴＸおよび受信機ＲＸの動作を制御するブロックは、図示されていない。
【００３４】
送信機ＴＸと受信機ＲＸとは、例えば無線通信装置の送信機と受信機となっている。本発明のもう一つ別の用途は、無線ＬＡＮ（ＷＬＡＮ）であり、そこでは、端末が本発明の有利な実施例に係る送信機ＴＸと受信機ＲＸとを備えた無線方式の無線ＬＡＮに接続されている。
【００３５】
さらに、図５ａおよび５ｂは、相関結果の絶対値で、本発明に係る同期化方法のシミュレーション結果を図解している。図５ａのシミュレーションは、従来技術のトレーニングシーケンスと、４つのトレーニング部分１０３、１０４、１０５、１０６からなる本発明の第１の有利な実施例に係るトレーニングシーケンスＴとを使用している。トレーニング部分１０３、１０４、１０５、１０６の長さは、Ｎ＝８９である。このシミュレーションでは、従来技術のトレーニングシーケンスは、４つのそのようなトレーニング部分から構成されている。同期化に有利なトレーニング部分は、良好な相関特性を有したいずれかのシーケンスにもできる。それぞれに対応した方式で、本発明に係るトレーニングシーケンスＴは、第１トレーニング部分１０３と第２トレーニング部分１０４とがそのトレーニング部分と同一でかつ第３トレーニング部分１０５と第４トレーニング部分１０６とが、そのトレーニング部分に対して逆となっているように形成される。図５ａでは、各々破線カーブＡは、従来技術のトレーニングシーケンスＴによって与えられる相関関数を表しており、またカーブＢは、本発明に係るトレーニングシーケンスによって与えられる相関関数を表している。結果がステップ関数なので、従来技術の相関関数に基づいては、タイミングの正しいモーメントを検出することは困難であることが図で明白に理解される。従来技術の場合、ステップ関数の平坦部の開始点で正確にしきい値を設定することで、タイミングの正しいモーメントを決定するべくしきい値を使用することは可能であったであろう。実際には、しかし、例えば、信号強度が時間の関数として変化するのでこのことは難しく、従って、明白なしきい値は発見されない。代わりに、本発明に係るトレーニングシーケンスＴの相関関数は、明らかに発見がより容易なピークを含んでいる。しきい値Ｔｈは、ただピークの範囲を概略確定するために使用されるだけである。結果的に、しきい値Ｔｈは、正確に設定される必要はない。ピーク（＝タイミング推定値）の正確な発見は、先ず、しきい値Ｔｈを越した後に開始される。ピークの発見は、この明細書において上述された。
【００３６】
さらに、図５ｂは、本発明の第２の有利な実施例に係るトレーニングシーケンスＴの相関関数の一部分を示している。トレーニング部分の長さは、Ｎ＝１６である。トレーニングシーケンスＴは、有効部分２０４が４つのそのようなトレーニング部分から構成されるように形成され、２つの最初のものは、トレーニング部分ｔｒと同一であり、第３と第４のものは、トレーニング部分ｔｒに対して逆となっている。図５ｂでは、カーブＣは、本発明の第２の有利な実施例に係るトレーニングシーケンスによって与えられる相関関数を表している。この図でも、ピークは明白に見ることができる。
【００３７】
上述された例は、本発明を解明しているだけであることは明らかであり、そこで、さらに他の種類のトレーニング部分も、本発明との関連で適用され、トレーニングシーケンスＴにおけるトレーニング部分１０３、１０４、１０５、１０６の数は、必ずしも１つまたは４つにする必要が無いが、しかし、それは２つ、３つまたはさらに４つ以上にすることもできる。さらに、本発明は、無線ＬＡＮ以外の別の通信システムに適用される。
【００３８】
もし、トレーニング部分１０３、１０４、１０５、１０６の有効部分２０４（ガードタイム無しのＯＦＤＭシンボルの均一部分）の長さが、情報から形成されるＯＦＤＭシンボルの有効部分の長さと同じになるように選択されれば、例えば、同じＩＦＦＴブロックが伝送される情報からＯＦＤＭシンボルを形成しかつトレーニング部分を形成する両方のために使用されるという長所が得られる。
【００３９】
上記説明は、ＯＦＤＭ技法に適用された場合の本発明を説明しているが、本発明は、さらに、例えば１搬送波システムとの関連でも適用される。図７は、１搬送波システムで使用されるデータフレーム７０１を示している。それは、シンボルｓ１、ｓ２、・・・・ｓｎが、トレーニング部分７０２、７０３、７０４、７０５に変換されるように有利に形成されるトレーニングシーケンスＴから構成されており、少なくとも２つの連続したもの７０２、７０３が実質的に同一であって、少なくとも１つのトレーニング部分７０４、７０５が上記連続したトレーニング部分７０２、７０３に対して実質的に逆になっている。１−搬送波システムでは、例えば、送信機（図示せず）および受信機（図示せず）の構造は、ＯＦＤＭシステムにおけるものとは異なっているが、しかし、それらは、いずれの当業者にもそれ自体公知である。
【００４０】
この説明における上記例では、トレーニング部分は、得られた相関結果が交互に最大値と最小値とになるように選択された。本発明は、さらに、交互の代わりに、トレーニングシーケンスにおける相関ピークの方向が、各トレーニング部分の後で必ずしも変更されるとは限らないが、しかし、これらのピークの方向の組合わせが、情報の伝送に使用されるようにも適用される。かくして、各相関ピークは、情報の１つの２進項を伝送するために使用される。例えば、４つの部分を使用して、３つのピークが得られる。この場合、異なった組合わせの数は、２3 ＝８である。有利なことには、少なくとも１つのピークが異なった方向を持たなければならないので、異なった組合わせの数は、２3 −２＝６である。タイミングのモーメントに対するより正確な決定と、位相／周波数エラーの修正とを達成するために、最も有利な組合わせは、最大値および最小値の交番である。かくして、選択するのに２つの選択肢が存在していて、すなわち、１つのバイナリ情報が、トレーニングシーケンスで伝送される。もし、１つのトレーニングシーケンスに３つより多いトレーニング部分が存在していれば、本発明は、さらに、タイミングがピークを作り上げる相関結果を見出すことで決定されるようにも適用される。次の正しい決定モーメントが、Ｎのサンプルの距離になっていることが分かっているので、推定される位相エラーは、依然としていくつかの点で確定される。かくして、本発明によれば、トレーニング部分のいくつかは、同期化のために使用され、またいくつかは、制御データ等の情報の伝送のために使用される。これらの制御データは、例えば、受信機への伝送で使用される変調方法を知らせるために使用される。
いずれの点でも、本発明は、上述の実施例にのみ限定されるものではなく、それは、添付の特許請求の範囲の技術範囲内で変更可能なものである。
【図面の簡単な説明】
【図１】  本発明の第１の有利な実施例に係るトレーニングシーケンスの構造と、相関結果とを示す。
【図２】  本発明の第２の有利な実施例に係るトレーニングシーケンスの構造を示す。
【図３】  本発明の第２の有利な実施例に係るトレーニングシーケンスの形成を図解した縮小されたブロック図である。
【図４】  本発明に係る受信機に使用される有利なシンクロナイザを示す。
【図５ａ】  本発明の有利な実施例に係るトレーニングシーケンスによるシミュレーション結果を示す。
【図５ｂ】  本発明の有利な実施例に係るトレーニングシーケンスによるシミュレーション結果を示す。
【図６】  本発明の有利な実施例に係る通信システムを示す。
【図７】  本発明の有利な実施例に係る１搬送波システムにおけるトレーニングシーケンスの構造と、相関結果とを示す。
【図１】
0004331405.tif 000002
【図２】
0004331405.tif 000003
【図３】
0004331405.tif 000004
【図４】
0004331405.tif 000005
【図５ａ】
0004331405.tif 000006
【図５ｂ】
0004331405.tif 000007
【図６】
0004331405.tif 000008
【図７】
0004331405.tif 000009